(57)【要約】【課題】本発明は、デジタル信号線によってデジタル信号を伝送する必要がない表示システムを提供する。【解決手段】本発明に係る表示システムは、制御端末コンピューター及び表示装置を備え、前記制御端末コンピューターは、デジタル信号で表示しようとする映像情報を送信する無線送信機を備え、前記表示装置は、映像情報を表示する表示モジュールと、前記制御端末コンピューターからのデジタル信号を受信し、且つ前記デジタル信号から映像情報を取り出す無線受信機と、前記映像情報を獲得し、前記表示モジュールが前記映像情報を表示するように制御する画面ズーム・コントローラーとを備える。【選択図】図１
2009075593.tif 000002
【特許請求の範囲】
【請求項１】
映像情報を表示する表示モジュールと、
外部電子装置からの無線デジタル信号を受信し、且つ前記無線デジタル信号から映像情報を取り出す無線受信機と、
前記映像情報を獲得し、前記表示モジュールが前記映像情報を表示するように制御する画面ズーム・コントローラーと、
を備えることを特徴とする表示装置。
【請求項２】
前記表示モジュールは、ＬＣＤ又はＣＲＴであることを特徴とする請求項１に記載の表示装置。
【請求項３】
前記無線受信機と前記画面ズーム・コントローラーは、ＵＡＲＴを採用してデータを伝送することを特徴とする請求項１に記載の表示装置。
【請求項４】
前記表示装置は、デイスプレー又はプロジェクターであることを特徴とする請求項１に記載の表示装置。
【請求項５】
制御端末コンピューター及び表示装置を備え、前記制御端末コンピューターは、デジタル信号で表示しようとする映像情報を送信する無線送信機を備え、前記表示装置は、映像情報を表示する表示モジュールと、前記制御端末コンピューターからのデジタル信号を受信し、且つ前記デジタル信号から映像情報を取り出す無線受信機と、前記映像情報を獲得し、前記表示モジュールが前記映像情報を表示するように制御する画面ズーム・コントローラーとを備えることを特徴とする表示システム。
【請求項６】
前記制御端末コンピューターは、制御インタフェースを有し、前記制御インタフェースによって前記表示装置の制御命令を生成することを特徴とする請求項５に記載の表示システム。
【請求項７】
前記無線送信機は、前記制御命令を前記表示装置に送信することができ、前記表示装置の無線受信機は、前記制御命令を受信することができ、前記画面ズーム・コントローラーは、前記制御命令を執行することができることを特徴とする請求項６に記載の表示システム。
【請求項８】
前記制御命令は、画面輝度を増加する命令及び画面輝度を減少する命令を備えることを特徴とする請求項７記載の表示システム。
【請求項９】
前記画面ズーム・コントローラーは、前記表示装置の状態情報を採集することができ、前記表示装置の無線受信機は、トランシーバーであって、前記状態情報を前記制御端末コンピューターに送信することができ、前記制御端末コンピューターの無線送信機は、トランシーバーであって、前記表示装置からの状態情報を受信することができることを特徴とする請求項６記載の表示システム。
【請求項１０】
前記画面ズーム・コントローラーは、異なる信号様式によって前記制御命令と前記映像情報を区分することを特徴とする請求項９記載の表示システム。
【請求項１１】
制御端末コンピューター及び表示装置を備える表示システムの表示方法であって、
前記制御端末コンピューターが映像情報を有する無線デジタル信号を生成し、且つ前記表示装置に送信するステップと、
前記表示装置が前記無線デジタル信号を受信し、且つ前記無線デジタル信号から映像情報を取り出すステップと、
前記表示装置の画面ズーム・コントローラーが前記表示装置の表示モジュールを制御して前記映像情報を表示するステップと、
を備えることを特徴とする表示システムの表示方法。
【発明の詳細な説明】
【技術分野】
【０００１】
本発明は、表示装置、表示システム及び表示方法に関するものである。
【背景技術】
【０００２】
現有のデジタル表示装置であって、例えば液晶プロジェクターである。使う時、データ信号線によって前記液晶プロジェクターをコンピューターに接続し、前記データ信号線によって前記コンピューターからの映像信号を受信し、前記液晶プロジェクターによってスクリーンに投影像を映し出す。しかし、時には空間の制限を受けて、前記液晶プロジェクターと前記コンピューターとの距離を遠くしなければならないが、前記距離が前記データ信号線の長さを超えることができる。この時、前記データ信号線を延長するか又は前記液晶プロジェクターと前記コンピューターとの間の距離を短縮して、使用目的に達する。なお、複数の会議室が一台の液晶プロジェクターと一台のコンピューターを共用するが、複数の会議室における前記液晶プロジェクターと前記コンピューターとの距離が異なるため、各会議室における前記液晶プロジェクターと前記コンピューターとの距離によって、データ信号線の長さを配置しなければならなく、従って使用者に不便をもたらす。
【発明の開示】
【発明が解決しようとする課題】
【０００３】
本発明の目的は、前記課題を解決し、表示装置、表示システム及び表示方法を提供することである。
【課題を解決するための手段】
【０００４】
前記目的を達成するため、本発明に係る表示装置は、映像情報を表示する表示モジュールと、外部電子装置からの無線デジタル信号を受信し、且つ前記無線デジタル信号から映像情報を取り出す無線受信機と、前記映像情報を獲得し、前記表示モジュールが前記映像情報を表示するように制御する画面ズーム・コントローラーとを備える。
【０００５】
前記目的を達成するため、本発明に係る表示システムは、制御端末コンピューター及び表示装置を備え、前記制御端末コンピューターは、デジタル信号で表示しようとする映像情報を送信する無線送信機を備え、前記表示装置は、映像情報を表示する表示モジュールと、前記制御端末コンピューターからのデジタル信号を受信し、且つ前記デジタル信号から映像情報を取り出す無線受信機と、前記映像情報を獲得し、前記表示モジュールが前記映像情報を表示するように制御する画面ズーム・コントローラーとを備える。
【０００６】
前記目的を達成するため、本発明に係る表示システムの表示方法であって、前記表示システムは、制御端末コンピューター及び表示装置を備え、前記表示方法は、前記制御端末コンピューターが映像情報を有する無線デジタル信号を生成し、且つ前記表示装置に送信するステップと、前記表示装置が前記無線デジタル信号を受信し、且つ前記無線デジタル信号から映像情報を取り出すステップと、前記表示装置の画面ズーム・コントローラーが前記表示装置の表示モジュールを制御して前記映像情報を表示するステップとを備える。
【発明の効果】
【０００７】
本発明の表示装置、表示システム及び表示方法は、使う時にデジタル信号線によってデジタル信号を伝送する必要がないため、コンピューターと表示装置の信号伝送範囲で、皆正常に使うことができ、使用者に便利をもたらす。
【発明を実施するための最良の形態】
【０００８】
以下、添付図面を参照しながら本発明を詳しく説明する。
【０００９】
図１は、本発明の実施形態に係る表示システム１００の構造を示すブロック図である。前記表示システム１００は、制御端末コンピューター１０及び表示装置２０を備える。
【００１０】
前記制御端末コンピューター１０は、パソコン、ノートパソコン、ＰＤＡ、デジタルカメラ、携帯電話などの電子装置であることができる。本実施形態において、前記制御端末コンピューター１０は、ＰＣ機（パソコン）である。
【００１１】
前記制御端末コンピューター１０は、無線送信機１１と制御インタフェース１２を備える。
【００１２】
前記無線送信機１１は、表示しようとする映像情報を送信することに用いられ、且つデジタル信号で前記映像情報を送信する。前記無線送信機１１は、前記表示装置２０から送信する状態情報を受信することができる。前記状態情報は、照明システムの輝度、照明システムの電球の照明時数及びシステム警告情報などを備え、使用者に前記状態情報を提供して、前記表示装置２０の状態を了解することにする。
【００１３】
本実施形態において、前記無線送信機１１は、無線接取点システム・ワン・チップである。前記無線接取点システム・ワン・チップは、無線ネットワーク管理器、メディア・アクセス・コントローラ、あらゆる受け付け機能及びアンテナなどの機能を一つのチップに整合する。前記無線接取点システム・ワン・チップは、前記映像情報に対してパケット（ｐａｃｋｅｔ）処理及びアンパック（ｕｎｐａｃｋ）処理を行うことができる。前記映像情報は、前記制御端末コンピューター１０から発信する映像表示情報であって、前記無線送信機１１は、前記映像情報を獲得してから、無線伝送協定によって前記映像表示情報に対してパケット処理を行い、且つ前記表示装置２０に送信する。
【００１４】
前記制御インタフェース１２は、前記表示装置２０の制御命令を生成することに用いられる。前記制御インタフェース１２は、ウィンドー・メニュー・インターフェースであって、前記制御インタフェース１２にボタンを設置する方式によって制御命令を啓発する。前記制御命令は、例えば画面輝度を増加する命令及び画面輝度を減少する命令を備える。前記無線送信機１１によって前記制御命令を前記表示装置２０に送信する。
【００１５】
前記無線送信機１１がトランシーバーである時、前記制御インタフェース１２は、前記トランシーバーが受信した前記状態情報を表示することができる。
【００１６】
前記表示装置２０は、表示モジュール２１、無線受信機２５及び画面ズーム・コントローラー２９を備える。
【００１７】
前記表示装置２０は、デイスプレー又はプロジェクターであることができ、本実施形態において、前記表示装置２０は、ＬＣＤ（Ｌｉｑｕｉｄ  Ｃｒｙｓｔａｌ  Ｄｉｓｐｌａｙ）プロジェクターである。
【００１８】
前記表示モジュール２１は、映像情報を表示することに用いられる。前記表示モジュール２１は、ＬＣＤ又はＣＲＴ（Ｃａｔｈｏｄｅ−Ｒａｙ  Ｔｕｂｅ）であることができる。本実施形態において、前記表示モジュール２１は、ＬＣＤである。
【００１９】
前記無線受信機２５は、前記制御端末コンピューター１０からのデジタル信号を受信することに用いられ、且つ前記デジタル信号から映像情報を取り出す。又、前記無線受信機２５は、前記制御端末コンピューター１０からの制御命令を受信することができる。
【００２０】
前記制御端末コンピューター１０の無線送信機１１がトランシーバーである時、前記表示装置２０の無線受信機２５もトランシーバーであることができる。前記画面ズーム・コントローラー２９は、前記ＬＣＤプロジェクターの状態情報を採集することができ、例えば、照明システムの輝度、照明システムの電球の照明時数及びシステム警告情報などである。前記画面ズーム・コントローラー２９が採集した状態情報は、トランシーバーによって前記制御端末コンピューター１０に送信することができる。
【００２１】
前記無線受信機２５は、無線接取点システム・ワン・チップである。前記無線接取点システム・ワン・チップは、受信したデジタル信号に対してアンパック処理を行って映像情報を取り出す。
【００２２】
前記画面ズーム・コントローラー２９は、前記映像情報を獲得することに用いられ、且つ前記表示モジュールが前記映像情報を表示するように制御する。本実施形態において、前記画面ズーム・コントローラー２９は、前記無線受信機２５が取り出した映像情報を獲得し、且つ前記映像情報をＬＣＤに広げる。前記ＬＣＤプロジェクターの照明システムの光線が前記ＬＣＤを透過してから、前記ＬＣＤプロジェクターのレンズによって、映像をスクリーンに映し出して、前記映像情報を表示する。
【００２３】
前記画面ズーム・コントローラー２９は、前記無線受信機２５が受信した制御命令を獲得することができ、且つ前記制御命令を執行する。例えば、前記無線受信機２５が受信した制御命令が画面輝度を増加する命令であると、前記画面ズーム・コントローラー２９は、画面輝度を増加する命令を獲得してから、前記ＬＣＤの液晶の回転角度を制御して、前記ＬＣＤを透過する光線を増加することにより、投射映像の輝度を高める。前記画面ズーム・コントローラー２９は、又前記ＬＣＤプロジェクターの照明システムに信号を発送することができ、前記照明システムの照明輝度を高めることにより、投射映像の輝度を高める。好ましくは、前記画面ズーム・コントローラー２９が前記ＬＣＤの液晶の回転角度を制御して光線通過量を増加するとともに、前記ＬＣＤ照明システムに信号を送信して、照明システムの輝度を高める。
【００２４】
前記画面ズーム・コントローラー２９は、異なる信号様式によって前記制御命令と前記映像情報を区分することができる。
【００２５】
前記画面ズーム・コントローラー２９と前記無線受信機２５との間は、異期伝送モードを採用してデータを伝送することができる。本実施形態において、前記画面ズーム・コントローラー２９と前記無線受信機２５との間は、ＵＡＲＴ（Ｕｎｉｖｅｒｓａｌ  Ａｓｙｎｃｈｒｏｎｏｕｓ  Ｒｅｃｅｉｖｅｒ  Ｔｒａｎｓｍｉｔｔｅｒ）を採用してデータを伝送する。
【００２６】
図２は、本発明の実施形態に係る表示システム１００の表示方法を示すフローチャートである。
【００２７】
ステップＳ３７：制御端末コンピューター１０は、映像情報を有する無線デジタル信号を生成し、且つ表示装置２０に送信する。本実施形態において、前記制御端末コンピューター１０の無線送信機１１は、前記制御端末コンピューター１０が生成した映像情報を無線デジタル信号に転換してから、前記表示装置２０に送信する。
【００２８】
ステップＳ４５：前記表示装置２０の無線受信機２５は、前記無線デジタル信号を受信し、且つ映像情報を取り出す。
【００２９】
ステップＳ５１：前記表示装置２０の画面ズーム・コントローラー２９が前記映像情報を獲得して、且つ前記表示装置２０の表示モジュール２１を制御して前記映像情報を表示する。
【００３０】
従来の技術に比べて、本発明の表示システム及び表示方法は、使う時にデジタル信号線によってデジタル信号を伝送する必要がないため、コンピューターと表示装置の信号伝送範囲で、皆正常に使うことができ、使用者に便利をもたらす。
【００３１】
以上本発明を実施例に基づいて具体的に説明したが、本発明は、上述の実施例に限定されるものではなく、その要旨を逸脱しない範囲において、種々変更可能であることは勿論であって、本発明の保護範囲は、以下の特許請求の範囲から決まる。
【図面の簡単な説明】
【００３２】
【図１】本発明の実施形態に係る表示システムの構造を示すブロック図である。
【図２】図１に示す表示システムの表示方法を示すフローチャートである。
【符号の説明】
【００３３】
１０  制御端末コンピューター
１１  無線送信機
１２  制御インタフェース
２０  表示装置
２１  表示モジュール
２５  無線受信機
２９  画面ズーム・コントローラー
１００  表示システム
【図１】
2009075593.tif 000003
【図２】
2009075593.tif 000004